(57)【要約】【課題】クレセント錠のカバーを容易に装着することができ、且つ、不必要なクレセント錠の開閉を防ぐことができる。【解決手段】台座５１と、台座５１に軸支され、開錠状態と施錠状態との間を回動可能な回動部材５２を備えるクレセント錠５のカバー１０であって、クレセント錠５の少なくとも一部を覆う外装部１８と、回動部材５２と台座５１との間に挿入可能な突出部１１と、クレセント錠５に係合可能な係合部１２と、を有することを特徴とするクレセント錠のカバー１０である。【選択図】図３
2020186549.tif 000002
【特許請求の範囲】
【請求項１】
台座と、
前記台座に軸支され、開錠状態と施錠状態との間を回動可能な回動部材を備えるクレセント錠のカバーであって、
前記クレセント錠の少なくとも一部を覆う外装部と、
前記回動部材と前記台座との間に挿入可能な突出部と、
前記クレセント錠に係合可能な係合部と、
を有することを特徴とするクレセント錠のカバー。
【請求項２】
請求項１に記載のクレセント錠のカバーであって、
前記係合部は、前記回動部材の回動軸方向において、前記台座が位置する側とは反対側から前記回動部材に係合可能であることを特徴とするクレセント錠のカバー。
【請求項３】
請求項１に記載のクレセント錠のカバーであって、
前記係合部が、前記台座に係合可能であることを特徴とするクレセント錠のカバー。
【請求項４】
請求項２又は３に記載のクレセント錠のカバーであって、
前記回動部材の回動軸方向において、第１方向側に前記台座が設けられ、第２方向側に前記回動部材が設けられたクレセント錠、及び
前記回動部材の回動軸方向において、第１方向側に前記回動部材が設けられ、第２方向側に前記台座が設けられたクレセント錠のいずれについても、
前記突出部を前記回動部材と前記台座との間に挿入可能であり、且つ、前記係合部を前記クレセント錠に係合可能であることを特徴とするクレセント錠のカバー。
【請求項５】
請求項１から４のいずれか１項に記載のクレセント錠のカバーであって、
前記外装部が、切欠き部を有し、
前記切欠き部が、前記係合部の位置と対応した位置に設けられていることを特徴とするクレセント錠のカバー。
【請求項６】
請求項１から５のいずれか１項に記載のクレセント錠のカバーであって、
前記カバーの挿入方向に延出した延出部を有し、
前記係合部は、前記挿入方向の下流側の部位に係合可能であり、
前記延出部は、前記挿入方向の上流側の部位に当接可能であることを特徴とするクレセント錠のカバー。
【発明の詳細な説明】
【技術分野】
【０００１】
本発明は、クレセント錠のカバーに関する。
【背景技術】
【０００２】
従来より、引き違い窓等を施錠するためにクレセント錠が用いられることが知られている。クレセント錠の操作によって、開錠と施錠の状態にすることができる。引き違い窓等は、開閉可能であるとともに、小さな子供や年配の人が誤って開錠してしまわない構成が望まれている。例えば、特許文献１には、クレセント錠２を覆いかぶせるようなクレセント錠用カバー付き鍵１を用いて、防犯機能を向上させることが開示されている。
【先行技術文献】
【特許文献】
【０００３】
【特許文献１】特開２００６−２５７７４２号公報
【発明の概要】
【発明が解決しようとする課題】
【０００４】
しかしながら、特許文献１に記載のクレセント錠用カバー付き鍵１は、防犯機能を目的であることから、クレセント錠用カバー付き鍵１は、ピン３を用いてクレセント錠２を覆う金属カバーを固定し、ピン３の表面にカバーを被せた構成である。そのため、防犯機能は向上するものの、クレセント錠用カバー付き鍵１は、その部品数が多く、装着させたり、取り外したりする作業に手間がかかってしまう恐れがある。
【０００５】
本発明は、かかる課題に鑑みてなされたものであり、その目的とするところは、クレセント錠のカバーを容易に装着することができつつ、不必要なクレセント錠の開閉を防ぐことである。
【課題を解決するための手段】
【０００６】
かかる目的を達成するために本発明のクレセント錠のカバーは、台座と、前記台座に軸支され、開錠状態と施錠状態との間を回動可能な回動部材を備えるクレセント錠のカバーであって、前記クレセント錠の少なくとも一部を覆う外装部と、前記回動部材と前記台座との間に挿入可能な突出部と、前記クレセント錠に係合可能な係合部と、を有することを特徴とするクレセント錠のカバーである。
【発明の効果】
【０００７】
本発明によれば、挿入可能な突出部がクレセント錠に対するクレセント錠のカバーの取り付け位置を規定しつつ、係合部でクレセント錠に係止させることができるため、クレセント錠のカバーを容易に装着することができる。そして、クレセント錠のカバーを取り付けられたクレセント錠は、その少なくとも一部が覆われているため、クレセント錠が視認されにくくなり、不必要な開閉を防ぐことができる。
【図面の簡単な説明】
【０００８】
【図１】図１Ａは、カバー１０を取り付けた状態の建具１ａの図である。図１Ｂは、カバー１０を取り付けた状態の建具１ｂの図である。
【図２】図２Ａは、建具１ａのクレセント錠５を室内側から見た図である。図２Ｂは、建具１ａのクレセント錠５にカバー１０を取り付ける様子を説明する図である。
【図３】図３Ａは、上流側から見たカバー１０の斜視図である。図３Ｂは、下流側から見たカバー１０の斜視図である。
【図４】図４は、装着状態のカバー１０を上方から見た図である。
【図５】図５Ａは、装着状態のカバー１０を左右方向の一方側から見た図である。図５Ｂは、装着状態のカバー１０を下流側から見た図である。
【図６】図６は、クレセント錠５と係合部１２との係合の解除について説明する図である。
【図７】図７Ａは、上流側から見たカバー２０の斜視図である。図７Ｂは、下流側から見たカバー２０の斜視図である。
【図８】図８は、装着状態のカバー２０を上方から見た図である。
【図９】図９Ａは、装着状態のカバー２０を左右方向の一方側から見た図である。図９Ｂは、装着状態のカバー２０を下流側から見た図である。
【発明を実施するための形態】
【０００９】
本発明の実施形態に係るクレセント錠のカバー（以下、単に「カバー」ともいう。）１０を取り付けた建具１（１ａ、１ｂ）について図面を参照して説明する。図１Ａは、カバー１０を取り付けた状態の建具１ａの図である。図１Ｂは、カバー１０を取り付けた状態の建具１ｂの図である。以下、クレセント錠５にカバー１０を取り付けた状態を「装着状態」ともいう。また、クレセント錠５の開閉動作やカバー１０の取付けや取り外しを行う者を「操作者」ともいう。
【００１０】
図１Ａ及び図１Ｂは、それぞれ閉じられた状態の建具１ａ、１ｂを室内側から見た図である。図２Ａは、建具１ａのクレセント錠５を室内側から見た図であり、図２Ｂは、建具１ａのクレセント錠５にカバー１０を取り付ける様子を説明する図である。建具１ａは、左右方向に開閉可能な２つの引違い窓を上下方向に並べて配置しており、建具１ｂは、上下方向に開閉可能な上げ下げ窓である。建具１ｂに設けられたクレセント錠５は、建具１ａに設けられたクレセント錠５を９０度回転させた状態で設置されている。
【００１１】
建具１（１ａ、１ｂ）は、それぞれ窓枠２（２ａ、２ｂ）と、窓枠２の内部に開閉可能に配置された１又は２の障子３（３ａ、３ｂ）と、障子３の召合せ框に固定されたクレセント錠５を備える。以下の説明において、左右方向とは各建具１ａ、１ｂの左右方向であり、上下方向とは建具１ａ、１ｂの高さ方向をいう。見込み方向とは、建具１ａ、１ｂの奥行に沿った方向である。
【００１２】
図２Ａに示すように、クレセント錠５は、一方側の障子３の召合せ框に固定された台座５１、回動部材５２、及び他方側の障子３の召合せ框に固定された錠受け５５（図４）を備える。クレセント錠５は、回動部材５２の回動軸方向における一方側（第１方向側）に回動部材５２を備え、回動軸方向における他方側（第２方向側）に台座５１を備える。
【００１３】
クレセント錠５の見込み方向は、建具１の見込み方向でもある。クレセント錠５の左右方向は、建具１の左右方向である。例えば、建具１ａに設けられたクレセント錠５の左右方向は、回転軸方向であり、建具１ａの左右方向でもある。また、クレセント錠５の上下方向は、建具１の上下方向である。例えば、建具１ａに設けられたクレセント錠５の上下方向は、回転軸方向と直交する方向であり、建具１ａの上下方向でもある。
【００１４】
回動部材５２は、台座５１の上下方向における略中央部で軸支されており、開錠状態と施錠状態との間を回動可能な部材である。回動部材５２は、回動部材５２を回動操作させるためのハンドル部５３と、錠受け５５に係合可能な鎌錠部５４を備える。回動部材５２を軸支している台座５１の上下方向における略中央部を除き、台座５１と回動部材５２との間に、隙間ｓを設けて、回動部材５２の回動を円滑に行えるようにしている。
【００１５】
図２Ｂに示すように、見込み方向の室内側から屋外側に向かってクレセント錠５にカバー１０を取付けることができる。図１Ａ及び図１Ｂに示すように、装着状態において、クレセント錠５を室内側から視認することができず、建具１ａ、１ｂのクレセント錠５の操作を行うことができない状態となっている。建具１ａ、１ｂにカバー１０を取り付けることで、例えば、乳幼児や年配の方等が誤って窓を開けて外に出てしまうような恐れを軽減させることができる。また、図１Ａに示す建具１ａのように、複数の窓を有する建具の場合には、例えば、上側の引違い窓には、カバー１０を装着せず、下側の引違い窓にカバー１０を取り付けたりして、カバー１０を取り付ける窓と、取付けない窓とを設けてもよい。このようにすることで、乳幼児の手が届かない上側は、開閉可能な通常の引違い窓とし、乳幼児の手が届く下側は、開閉できないＦｉｘ窓のようにすることができる。
【００１６】
以下、建具１ａに取り付けるカバー１０について説明する。図３Ａは、上流側から見たカバー１０の斜視図である。図３Ｂは、下流側から見たカバー１０の斜視図である。なお、カバー１０の室内側から屋外側へ向かう方向（見込み方向）は、カバー１０をクレセント錠５に取付ける際の挿入方向でもある。また、カバー１０の上下方向は、クレセント錠５の上下方向に沿っており、建具１の上下方向にも沿っている。なお、建具１ｂに取付けるカバー１０の場合は、クレセント錠５の向きに合わせて、建具１ａに取付けるカバー１０を９０度回転させた状態で取り付ける。
【００１７】
図３Ａ及び図３Ｂに示すように、カバー１０は、上下方向の中央について対称な形状である。カバー１０は、一対の突出部１１、係合部１２、一対の延出部１３、切欠き部１５、及び外装部１８を有する。
【００１８】
外装部１８は、装着状態において、クレセント錠５を覆っており、上面１８ａ、下面１８ｂ、側面１８ｃ、１８ｄ、１８ｅを備えている。外装部１８は、必ずしも上面１８ａ、下面１８ｂ、側面１８ｂ、１８ｃ、１８ｄを全て備える必要はなく、少なくとも１つ以上の面を有していればよい。ただし、全ての面を備える場合は、図３Ａ等に示すように、装着状態のカバー１０は、上面１８ａ、下面１８ｂ、側面１８ｂ、１８ｃ、１８ｄがクレセント錠５を室内側から視認不能となるように覆うことができるため、室内側からの意匠性を向上させることができる。また、乳幼児や年配の方に、クレセント錠５の存在を認識しづらくさせ、誤って開錠して外に出てしまう恐れを軽減させることができる。
【００１９】
一対の突出部１１は、第１突出部１１ａと第２突出部１１ｂである。第１突出部１１ａは、側面１８ｅから挿入方向の上流側から下流側に向かって突出し、且つ、上面１８ａから下方に向かって突出しており、挿入方向に沿った面を有している。第２突出部１１ｂも同様に、側面１８ｅから挿入方向の上流側から下流側に向かって突出し、且つ下面１８ｂから上方に向かって突出しており、挿入方向に沿った略矩形状の面を有している。各突出部１１の回転軸方向における長さ（厚み）は、隙間ｓより短い。
【００２０】
係合部１２は、側面１８ｄから挿入方向の上流側から下流側に向かって突出しており、上下方向において、略中央部で、第１突出部１１ａと第２突出部１１ｂとの間に設けられており、左右方向において、突出部１１と切欠き１５との間に設けられている。係合部１２の下流側の端部は、回転軸方向の突出部１１側に向かって更に突起した突起部１２ｐを備えている。突出部１１の挿入方向についての長さは、係合する際に接触するクレセント錠５の部分との距離に応じて決められている。
【００２１】
図４は、装着状態のカバー１０を上方から見た図である。図５Ａは、装着状態のカバー１０を左右方向の一方側から見た図である。図５Ｂは、装着状態のカバー１０を下流側から見た図である。便宜上、図４では上面１８ａを除いた状態のカバー１０を示し、図５Ａでは、側面１８ｃと側面１８ｄを除いた状態のカバー１０を示している。また、図４では、カバー１０のみ実線で示し、他の部材を点線で示している。図５Ｂでは、カバー１０及びクレセント錠５を実線で示し、他の部材を点線で示している。
【００２２】
図４等に示すように、カバー１０の一対の突出部１１を回動部材５２と台座５１との間の隙間ｓに挿入し、係合部１２をクレセント錠５に係合させることで、カバー１０をクレセント錠５に取付けることができる。具体的には、第１突出部１１ａを上側の隙間ｓに、第２突出部１１ｂを下側の隙間ｓに挿入すると、係合部１２の突起部１２ｐが左右方向の一方側から他方側に向かってハンドル部５３の屋外側に面に引っ掛かり、ハンドル部５３に係合することができる。つまり、突出部１１を挿入することで、クレセント錠５に対するカバー１０の位置を規定しつつ、係合部１２でカバー１０をクレセント錠５に係止させて、固定させる。これによって、カバー１０が装着状態となる。操作者は、クレセント錠５に向かってカバー１０を挿入させるという簡単な動作で、容易に装着状態とすることができる。そして、カバー１０の装着によって、室内側からクレセント錠５を視認しづらくなり、ハンドル部５３の操作が困難となるため、クレセント錠５の不必要な開閉を防ぐことができる。
【００２３】
なお、係合部１２は、回動部材５２の回動軸方向において、台座５１が位置する側とは反対側から回動部材５２に係合することが好ましい。つまり、係合部１２を上下方向において回動部材５２と重なる部分に設けて、係合部１２を回動部材５２に係合させる。これによって、係合部１２を回動部材５２より上下方向の外側に設ける必要がないため、係合部１２を回動部材５２より上下方向の外側に設ける場合よりもカバー１０の上下方向の長さを短くすることができ、カバー１０をコンパクトな大きさにすることができる。
【００２４】
図１Ａ等に示すように、外装部１８により装着状態のクレセント錠５と係合部１２との係合状態を視認することができない。そのため、外装部１８が係合位置を示す切欠き部１５を備えることがより好ましい。切欠き部１５は、係合部１２の位置と対応した位置に設けられている。図３Ｂに示すように、カバー１０は、側面１８ｃの、係合部１２と上下方向において重なる位置に切欠き部１５が設けられているため、操作者は、装着状態のクレセント錠５と係合部１２との係合位置を認識することができる。
【００２５】
図６は、クレセント錠５と係合部１２との係合の解除について説明する図である。図６に示すように、操作者は、切欠き部１５によってクレセント錠５と係合部１２とが係合した位置を認識して、切欠き部１５からカバー１０の内部に解除部材７０等を挿入させることで、クレセント錠５と係合部１２との係合を容易に解除することができる。解除部材７０は、六角レンチ等のＬ字状の部材が好ましい。なお、必ずしも解除部材７０を用いる必要はない。例えば、係合位置を認識した操作者が指で係止部を解除するものであってもよい。ただし、装着状態からの解除に、解除部材７０等の部材を要することで、乳幼児や年配の方が、誤ってカバー１０をクレセント錠５から取り外してしまう恐れをより軽減させることができる。
【００２６】
回転軸方向において、突出部１１に対して、係合部１２とは反対側に設けられた一対の延出部１３を備えることが好ましい。各延出部１３は、側面１８ｅから挿入方向の上流側から下流側に向かって延出し、挿入方向に沿った面を有している。図５Ａに示すように、係合部１２は、カバー１０の挿入方向の下流側の部位に係合可能であり、延出部１３は、カバー１０の挿入方向の上流側の部位に当接可能である。具体的には、係合部１２は、ハンドル部５３の屋外側の面に係合可能であり、延出部１３の下流側の端部は、台座５１の上流側の面に当接可能である。この延出部１３が設けられたカバー１０を所定距離だけクレセント錠５に向かって挿入すると、延出部１３の下流側の端部が台座５１の上流側の面に当接して、それ以上挿入方向に押し込むことができない。つまり、延出部１３を設けることで、カバー１０を挿入方向に押し込みすぎて、カバー１０やクレセント錠５を破損させてしまう恐れを軽減させることができる。
【００２７】
また、カバー１０は、図２Ａに示す回動軸方向に対して一方側に回動部材５２、他方側に台座５１が設けられたクレセント錠５への装着に限られない。回動軸方向に対して一方側に台座５１、他方側に回動部材５２が設けられたクレセント錠にもカバー１０の装着が可能である。そのような場合、図２Ａ等に示すクレセント錠５に装着させるカバー１０の上下を反転させることで、回動部材５２と台座５１との間の隙間ｓのうち、上側の隙間ｓに第２突出部１１ｂを挿入させ、下側の隙間ｓに第２突出部１１ａを挿入させ、係合部１２をクレセント錠に係合させることができる。つまり、回動部材と台座との回転軸方向に対する位置関係に関わらず、カバー１０の装着が可能である。
【００２８】
上述のカバー１０は、係合部１２を回動部材５２に係合させたが、これに限られない。図７Ａは、上流側から見たカバー２０の斜視図である。図７Ｂは、下流側から見たカバー２０の斜視図である。図８は、装着状態のカバー２０を上方から見た図である。図９Ａは、装着状態のカバー２０を左右方向の一方側から見た図である。図９Ｂは、装着状態のカバー２０を下流側から見た図である。便宜上、図８では、上面２８ａを除いた状態のカバー２０を示し、図９Ａでは、側面２８ｃと側面２８ｄを除いた状態のカバー２０を示している。また、図８では、カバー２０のみを実線で示し、他の部材を点線で示している。図９Ｂでは、カバー２０及びクレセント錠５を実線で示し、他の部材を点線で示している。
【００２９】
カバー２０は、カバー１０と同様に、上下方向の中央について対称な形状であり、一対の突出部２１、一対の係合部２２、一対の延出部２３、一対の切欠き部２５、及び外装部２８を有する。図７等に示すように、一対の突出部２１（２１ａ、２１ｂ）、一対の延出部２３、及び外装部２８（２８ａ〜２８ｅ）は、カバー１０の一対の突出部１１（１１ａ、１１ｂ）、一対の延出部１３、及び外装部１８（１８ａ〜１８ｅ）とそれぞれ同様の構成である。一対の切欠き部２５は、上面２８ａと下面２８ｅの、挿入方向の下流側端部、且つ、回転軸方向の他方側端部にそれぞれ設けられている。
【００３０】
一対の係合部２２は、第１係合部２２ａと第２係合部２２ｂであり、カバー２０の上下方向における端部で、且つ、延出部２３と上面２８ａ及び延出部２３と下面２８ｂとの間にそれぞれ設けられている。係合部２２の下流側の端部は、上下方向の内側に向かって更に突起した突起部２２ｐをそれぞれ備えている。
【００３１】
図８等に示すように、カバー２０の一対の突出部２１を回動部材５２と台座５１との間の隙間ｓに挿入し、係合部２２（２２ａ、２２ｂ）をクレセント錠５に係合させることで、カバー２０をクレセント錠５に取付けることができる。具体的には、第１突出部２１ａを上側の隙間ｓに、第２突出部２１ｂを下側の隙間ｓに挿入し、第１係合部２２ａと第２係合部２２ｂのそれぞれ突起部２２ｐを上下方向における外側からクレセント錠５の台座５１の上下方向における端部に引っ掛けるようにすることで係合することができる。このとき、カバー１０の挿入方向における台座５１の下流側の部位に係合させることが好ましい。これによって、操作者は、クレセント錠５に向かってカバー２０を挿入させるという簡単な動作で容易に装着状態とすることができる。また、カバー２０の係合部２２を、クレセント錠５のうち、障子３に固定された台座５１に係合させることができるため、回動部材５２に係合部２２を係合させた場合より、カバー２０をより安定した装着状態とすることができる。
【００３２】
なお、カバー１０は１つの係合部１２を有し、カバー２０は２つの係合部２２を有したが、これに限られない。係合部の数は、クレセント錠５の形状や、装着環境等に応じて適宜変更可能である。また、カバー１０とカバー２０は、それぞれ略矩形状の一対の突出部１１、２１を備えたが、これに限られない。突出部の数や形状は、クレセント錠５の形状や大きさ等に応じて適宜変更可能である。
【００３３】
さらに、カバー１０及びカバー２０においては、突出部１１、２１と、係合部１２、２２とをそれぞれ別の部材として設けたが、これに限られない。突出部１１、２１と係合部１２、２２が一体となった部材でもよい。例えば、カバー２０の突出部２１の挿入方向の端部に係合部２２を設け、突出部１１を回動部材５２と台座５１との間に挿入し、台座５１の左右方向の一方側から他方側に向かって係合部２２を係合させる構成であってもよい。台座５１に係合部２２を係合させたカバー２０は、回動部材５２に係合させた場合より安定した状態の装着状態とすることができる。また、突出部２１と係合部２２を一体形状とすることで、カバー２０の部品数を減らすことができ、より安価に製造することができる。
【００３４】
本実施形態には、少なくとも以下の発明が含まれる。
台座と、前記台座に軸支され、開錠状態と施錠状態との間を回動可能な回動部材を備えるクレセント錠のカバーであって、前記クレセント錠の少なくとも一部を覆う外装部と、前記回動部材と前記台座との間に挿入可能な突出部と、前記クレセント錠に係合可能な係合部と、を有することを特徴とするクレセント錠のカバーである。
【００３５】
このようなクレセント錠のカバーによれば、挿入可能な突出部がクレセント錠に対するクレセント錠のカバーの取り付け位置を規定しつつ、係合部でクレセント錠に係止させることができるため、クレセント錠のカバーを容易に装着することができる。そして、クレセント錠のカバーを取り付けられたクレセント錠は、その少なくとも一部が覆われているため、クレセント錠が視認されにくくなり、不必要な開閉を防ぐことができる。
【００３６】
かかるクレセント錠のカバーであって、前記係合部は、前記回動部材の回動軸方向において、前記台座が位置する側とは反対側から前記回動部材に係合可能であることを特徴とする。
【００３７】
このようなクレセント錠のカバーによれば、台座が位置する側とは反対側から回動部材に係合可能な係合部とすることで、カバー１０をよりコンパクトな大きさにすることができる。
【００３８】
かかるクレセント錠のカバーであって、前記係合部が、前記台座に係合可能であることを特徴とする。
【００３９】
このようなクレセント錠のカバーによれば、クレセント錠のカバーを台座に係合させることで、台座は固定された部材であるため、回動部材にクレセント錠のカバーを係合させる場合より、クレセント錠のカバーを安定な状態とすることができる。
【００４０】
かかるクレセント錠のカバーであって、前記回動部材の回動軸方向において、第１方向側に前記台座が設けられ、第２方向側に前記回動部材が設けられたクレセント錠、及び前記回動部材の回動軸方向において、第１方向側に前記回動部材が設けられ、第２方向側に前記台座が設けられたクレセント錠のいずれについても、前記突出部を前記回動部材と前記台座との間に挿入可能であり、且つ、前記係合部を前記クレセント錠に係合可能であることを特徴とする。
【００４１】
このようなクレセント錠のカバーによれば、回動軸方向において回動部材を台座に対してどちらに設けられていても、クレセント錠のカバーを設置することが可能となる。
【００４２】
かかるクレセント錠のカバーであって、前記外装部が、前記外装部が、切欠き部を有し、前記切欠き部が、前記係合部の位置と対応した位置に設けられていることを特徴とする。
【００４３】
このようなクレセント錠のカバーによれば、クレセント錠のカバーの外観から係合部の位置を認識しやすくなり、クレセント錠と係合部との係合をより容易に解除することができる。
【００４４】
かかるクレセント錠のカバーであって、前記カバーの挿入方向に延出した延出部を有し、前記係合部は、前記挿入方向の下流側の部位に係合可能であり、前記延出部は、前記挿入方向の上流側の部位に当接可能であることを特徴とする。
【００４５】
このようなクレセント錠のカバーによれば、延出部とクレセント錠のカバーとの接触によって、クレセント錠のカバーを挿入しすぎてしまう恐れを軽減させることができる。
【符号の説明】
【００４６】
１  建具、２  窓枠、３  障子、５  クレセント錠、５１  台座、５２  回動部材、５３  ハンドル部、５４  鎌錠部、５５  錠受け、１０  カバー（クレセント錠のカバー）、１１  突出部、１１ａ  第１突出部、１１ｂ  第２突出部１２  係合部、１２ｐ  突起部、１３  延出部、１５  切欠き部、１８  外装部、１８ａ  上面、１８ｂ  下面、１８ｃ  側面、１８ｄ  側面、１８ｅ  側面、２０  カバー（クレセント錠のカバー）、２１  突出部、２１ａ  第１突出部、２１ｂ  第２突出部、２２  係合部、２２ａ  第１係合部、２２ｂ  第２係合部、２３  延出部、２５  切欠き部、２８  外装部、２８ａ  上面、２８ｂ  下面、２８ｃ  側面、２８ｄ  側面、２８ｅ  側面、７０  解除部材、ｓ  隙間
【図１】
2020186549.tif 000003
【図２】
2020186549.tif 000004
【図３】
2020186549.tif 000005
【図４】
2020186549.tif 000006
【図５】
2020186549.tif 000007
【図６】
2020186549.tif 000008
【図７】
2020186549.tif 000009
【図８】
2020186549.tif 000010
【図９】
2020186549.tif 000011